(57)【要約】【課題】  機密文書の不正コピーを防止する画像形成システム、及び画像形成装置を実現する。【解決課題】  原稿にＲＦＩＤタグを付すとともに、画像形成装置に原稿に付されたＲＦＩＤタグとの通信を行うための原稿用ＲＦＩＤタグセンサ８０を設け、ＲＦＩＤタグセンサ８０によるＲＦＩＤタグの検出結果を、ネットワークを介して接続された管理装置に送信し、管理装置側で、所定の制御情報を画像形成装置に応答し、その応答結果に応じて、画像形成動作を制御する。さらに、画像形成装置の動作履歴を記憶し、その動作履歴に応じて制御を行う。【選択図】  図２
2005323206.tif 000002
【特許請求の範囲】
【請求項１】
原稿を読み取るための読み取り手段と、
前記読み取り手段で読み取った画像データを記憶するための画像メモリと、
前記画像メモリに記憶した画像データに基づいて画像を形成する画像形成手段と、
操作者が指示を入力するための操作手段と、
原稿に付加されたＲＦＩＤタグ及び利用者が携帯するＲＦＩＤタグの少なくとも一方と通信し、ＲＦＩＤタグに含まれたＲＦＩＤ情報を取得するＲＦＩＤ通信手段と、
画像形成装置の制御の内容を示す制御情報を、ＲＦＩＤ情報と対応付けて記憶するためのテーブルメモリと、
前記テーブルメモリを参照し、前記ＲＦＩＤ通信手段により取得したＲＦＩＤ情報に対応する制御情報を特定する特定手段と、
前記特定手段によって特定した制御情報に応じて画像形成装置の動作を制御する制御手段とを備えたことを特徴とする画像形成装置。
【請求項２】
請求項１記載の画像形成装置において、
前記画像形成装置の動作履歴を生成し、前記テーブルメモリに記憶させる動作履歴生成手段を備えたことを特徴とする画像形成装置。
【請求項３】
請求項２記載の画像形成装置において、
前記動作履歴生成手段は、生成した動作履歴と、前記ＲＦＩＤ通信手段により取得したＲＦＩＤ情報とを対応付けて前記テーブルメモリに記憶させることを特徴とする画像形成装置。
【請求項４】
請求項２又は３記載の画像形成装置において、
前記制御手段は、前記テーブルメモリを参照し、参照結果に応じて動作履歴を取得し、取得した動作履歴に応じて前記画像形成装置の動作を制御することを特徴とする画像形成装置。
【請求項５】
請求項２乃至４のいずれか１項に記載の画像形成装置において、
前記ＲＦＩＤ通信手段により取得されたＲＦＩＤ情報、及び前記動作履歴生成手段により生成された動作履歴のうち少なくとも一方を、前記テーブルメモリから取り出して、記録紙、及び原稿に付加されたＲＦＩＤタグ、並びに利用者が携帯しているＲＦＩＤタグのうち少なくとも１つに書き込むＲＦＩＤ書き込み手段を備えたことを特徴とする画像形成装置。
【請求項６】
請求項２乃至５のいずれか１項に記載の画像形成装置において、
前記制御手段は、ＲＦＩＤタグを参照し、参照結果に応じて動作履歴を取得し、取得した動作履歴に応じて前記画像形成装置の動作を制御することを特徴とする画像形成装置。
【請求項７】
１以上の画像形成装置と管理装置とがネットワークを介して接続された画像形成システムにおいて、
前記画像形成装置は、画像形成装置の動作を制御する制御手段と、原稿を読み取るための読み取り手段と、前記読み取り手段で読み取った画像データを記憶するための画像メモリと、前記画像メモリに記憶した画像データに基づいて画像を形成する画像形成手段と、操作者が指示を入力するための操作手段と、原稿に付加されたＲＦＩＤタグ及び利用者が携帯するＲＦＩＤタグの少なくとも一方と通信し、ＲＦＩＤタグに含まれたＲＦＩＤ情報を取得するＲＦＩＤ通信手段と、前記ＲＦＩＤ通信手段により取得したＲＦＩＤ情報を前記管理装置に送信するＲＦＩＤ情報送信手段とを備え、
前記管理装置は、前記ＲＦＩＤ送信手段により送信されてきたＲＦＩＤ情報を受信するＲＦＩＤ情報受信手段と、ＲＦＩＤ情報と前記ＲＦＩＤ情報に対応付けられた前記制御手段による制御の内容を示す制御情報とを記憶するためのテーブルメモリと、前記テーブルメモリを参照し、前記ＲＦＩＤ情報に対応する制御情報を特定する特定手段と、前記特定手段によって特定した制御情報を前記画像形成装置に応答として送信する応答手段とを備え、
前記画像形成装置が備えた制御手段は、前記管理装置が備えた応答手段による応答結果に応じて前記画像形成装置の動作を制御することを特徴とする画像形成システム。
【請求項８】
請求項７記載の画像形成システムにおいて、
前記画像形成システムはさらに、前記画像形成装置、及び前記管理装置の少なくとも一方とネットワークを介して接続される外部装置を備え、前記外部装置にテーブルメモリを設けたことを特徴とする画像処理システム。
【請求項９】
請求項７又は８記載の画像形成システムにおいて、
前記画像形成装置はさらに、前記画像形成装置の動作履歴を生成し、前記管理装置が備えたテーブルメモリに記憶させる動作履歴生成手段を備えたことを特徴とする画像形成システム。
【請求項１０】
請求項９記載の画像形成システムにおいて、
前記画像形成装置が備えた動作履歴生成手段は、生成した動作履歴を、前記外部装置が備えたテーブルメモリに記憶させることを特徴とする画像形成システム。
【請求項１１】
請求項９又は１０記載の画像形成システムにおいて、
前記画像形成装置が備えた動作履歴生成手段は、生成した動作履歴と、前記画像形成装置が備えたＲＦＩＤ通信手段により取得したＲＦＩＤ情報とを対応付けて、前記管理装置、及び前記外部装置の少なくとも一方が備えたテーブルメモリに記憶する手段であることを特徴とする画像形成装置。
【請求項１２】
請求項９乃至１１のいずれか１項に記載の画像形成システムにおいて、
前記画像形成装置が備えた制御手段は、前記管理装置、及び外部装置の少なくとも一方が備えたテーブルメモリを参照し、参照結果に応じて動作履歴を取得し、取得した動作履歴に応じて前記画像形成装置の動作を制御することを特徴とする画像形成システム。
【請求項１３】
請求項９乃至１２のいずれか１項に記載の画像形成システムにおいて、
前記画像形成装置はさらに、前記ＲＦＩＤ通信手段により取得されたＲＦＩＤ情報、及び前記動作履歴生成手段により生成し、記憶された動作履歴のうち少なくとも一方を、前記テーブルメモリから取り出して、記録紙、及び原稿に付加されたＲＦＩＤタグ、並びに利用者が携帯しているＲＦＩＤタグのうち少なくとも１つに書き込むＲＦＩＤ書込手段を備えたことを特徴とする画像形成システム。
【請求項１４】
請求項１３記載の画像形成システムにおいて、
前記画像形成装置が備えた制御手段は、前記ＲＦＩＤ書込み手段によってＲＦＩＤタグに動作履歴が書き込まれた場合、前記ＲＦＩＤタグを参照し、参照結果に応じて動作履歴を取得し、取得した動作履歴に応じて前記画像形成装置の動作を制御することを特徴とする画像形成システム。
【発明の詳細な説明】
【技術分野】
【０００１】
本発明は、画像形成装置と、画像形成装置とネットワークを介して接続される管理装置とからなる画像形成システムに関し、特に、原稿に付加されたＲＦＩＤタグ、及び利用者が携帯するＲＦＩＤタグのうち少なくとも一方と通信し、通信したＲＦＩＤタグに記憶されているＲＦＩＤ情報を取得し、取得したＲＦＩＤ情報に基づいた制御に従って動作する画像形成装置と、その画像形成装置とネットワークを介して接続され、画像形成装置から送られてくるデータに応じて、制御の内容を示す情報を画像形成装置に送信する管理装置からなる画像形成システムに関する。
【背景技術】
【０００２】
近年、人が目で見て認識できる情報とデジタル情報とを同一の媒体で用いる技術への期待が高まっている。例えば、印刷用紙にＩＤチップを付加し、通常の複写に加え、ＩＤチップ内へ印刷内容等のデジタルデータを書き込むといったものである。
【０００３】
最近、このＩＤチップ技術として、ＲＦＩＤ（Radio Frequency Identification）タグ技術が注目を集めている。ＲＦＩＤタグとは、データの読み書きが可能で、そのデータを電波によって送受信するものである。例えば、ＲＦＩＤタグを埋め込んだ用紙を記録紙として用い、記録紙に原稿画像データを出力してプリントすると同時に、記録紙のＲＦＩＤタグに当該原稿画像に関するデータや、複写を指示した利用者の情報等をも書き込むよう構成されたものがある。
【特許文献１】特開２００２−３３７４２６号公報
【発明の開示】
【発明が解決しようとする課題】
【０００４】
しかしながら、特許文献１記載の画像形成装置は、記録紙に画像データ及びそれに付随するデータをＲＦＩＤタグに記録することに言及するのみであって、ＲＦＩＤタグに記録されたデータにより画像形成動作を制御することには言及されていない。
【０００５】
例えば、画像形成装置が、不特定多数の人が使用するオフィスや公共の場に置かれている場合には、誰でも自由に使用可能な場合が多く、利用者毎に動作制御を可変としようにも、画像形成装置単体では限界がある。
【０００６】
本発明では、上記のような場合において、ＲＦＩＤタグが付加された原稿の画像データについての画像形成、及びＲＦＩＤタグを携帯している利用者による画像形成を制御し、例えば利用者によっては、不正に画像形成することを防止することを目的とする。
【課題を解決するための手段】
【０００７】
本発明の画像形成装置、及びシステムは、ＲＦＩＤタグ付原稿を使用することを想定し、装置にはＲＦＩＤタグ読み取り手段を具備し、あるいは別ユニットの読み取り手段を接続可能なインターフェースを具備し、前記読み取り手段は装置に内蔵あるいは外付けで設置可能な構成を想定している。
【０００８】
また、本発明の画像形成装置、及びシステムは、ユーザインターフェースとなる操作手段を具備し、ボタン、タッチパネル等の入力機能と、ＬＥＤ、ＬＣＤ、ＣＲＴ等の表示機能とを備え、内蔵あるいは外付けで設置可能な構成を想定している。また、操作手段は、無線ＬＡＮ・無線公衆回線・光通信・音通信といった無線通信を利用してＰＤＡ、携帯電話、携帯型コンピュータ、リモートコントローラ、ネットワーク家電製品といった他の装置に具備している操作手段を使って制御することも想定している。また、有線・無線ネットワークにて装置と接続されたホストコンピュータの入出力機能を使って制御することも想定している。また、本装置、及びシステムにおいてＲＦＩＤタグ情報の取得は、原稿搬送中に行われるよう構成されている場合には、単一のＲＦＩＤ読み取り手段にて用紙上のＲＦＩＤタグ情報を一枚一枚読み取ることが容易に可能な点を特徴としている。また、複写機・スキャナといった原稿読み取り手段を備えた装置、あるいは複合システムに適用することを想定している。
【０００９】
請求項１記載の画像形成装置は、原稿を読み取るための読み取り手段と、読み取り手段で読み取った画像データを記憶するための画像メモリと、画像メモリに記憶した画像データに基づいて画像を形成する画像形成手段と、操作者が指示を入力するための操作手段と、原稿に付加されたＲＦＩＤタグ及び利用者が携帯するＲＦＩＤタグの少なくとも一方と通信し、ＲＦＩＤタグに含まれたＲＦＩＤ情報を取得するＲＦＩＤ通信手段と、画像形成装置の制御の内容を示す制御情報を、ＲＦＩＤ情報と対応付けて記憶するためのテーブルメモリと、テーブルメモリを参照し、ＲＦＩＤ通信手段により取得したＲＦＩＤ情報に対応する制御情報を特定する特定手段と、特定手段によって特定した制御情報に応じて画像形成装置の動作を制御する制御手段とを備えたことを特徴とする。
【００１０】
請求項２記載の画像形成装置は、請求項１記載の画像形成装置において、画像形成装置の動作履歴を生成し、テーブルメモリに記憶させる動作履歴生成手段を備えたことを特徴とする。
【００１１】
請求項３記載の画像形成装置は、請求項２記載の画像形成装置において、動作履歴生成手段は、生成した動作履歴と、ＲＦＩＤ通信手段により取得したＲＦＩＤ情報とを対応付けてテーブルメモリに記憶させることを特徴とする。
【００１２】
請求項４記載の画像形成装置は、請求項２又は３記載の画像形成装置において、制御手段は、テーブルメモリを参照し、参照結果に応じて動作履歴を取得し、取得した動作履歴に応じて画像形成装置の動作を制御することを特徴とする。
【００１３】
請求項５記載の画像形成装置は、請求項２乃至４のいずれか１項に記載の画像形成装置において、ＲＦＩＤ通信手段により取得されたＲＦＩＤ情報、及び動作履歴生成手段により生成された動作履歴のうち少なくとも一方を、テーブルメモリから取り出して、記録紙、及び原稿に付加されたＲＦＩＤタグ、並びに利用者が携帯しているＲＦＩＤタグのうち少なくとも１つに書き込むＲＦＩＤ書き込み手段を備えたことを特徴とする。
【００１４】
請求項６記載の画像形成装置は、請求項２乃至５のいずれか１項に記載の画像形成装置において、制御手段は、ＲＦＩＤタグを参照し、参照結果に応じて動作履歴を取得し、取得した動作履歴に応じて画像形成装置の動作を制御することを特徴とする。
【００１５】
請求項７記載の画像形成システムは、１以上の画像形成装置と管理装置とがネットワークを介して接続された画像形成システムにおいて、画像形成装置は、画像形成装置の動作を制御する制御手段と、原稿を読み取るための読み取り手段と、読み取り手段で読み取った画像データを記憶するための画像メモリと、画像メモリに記憶した画像データに基づいて画像を形成する画像形成手段と、利用者が指示を入力するための操作手段と、原稿に付加されたＲＦＩＤタグ及び利用者が携帯するＲＦＩＤタグの少なくとも一方と通信し、ＲＦＩＤタグに含まれたＲＦＩＤ情報を取得するＲＦＩＤ通信手段と、ＲＦＩＤ通信手段により取得したＲＦＩＤ情報を管理装置に送信するＲＦＩＤ情報送信手段とを備え、管理装置は、ＲＦＩＤ送信手段により送信されてきたＲＦＩＤ情報を受信するＲＦＩＤ情報受信手段と、ＲＦＩＤ情報とＲＦＩＤ情報に対応付けられた制御の内容についての制御情報とを記憶するためのテーブルメモリと、テーブルメモリを参照し、ＲＦＩＤ情報に対応する制御情報を特定する特定手段と、特定手段によって特定した制御情報を画像形成装置に応答として送信する応答手段とを備え、画像形成装置が備えた制御手段は、管理装置が備えた応答手段による応答結果に応じた制御を行うことを特徴とする。
【００１６】
請求項８記載の画像形成システムは、請求項７記載の画像形成システムにおいて、テーブルメモリを、画像形成装置、及び管理装置の少なくとも一方とネットワークを介して接続される外部装置に設けたことを特徴とする。
【００１７】
請求項９記載の画像形成システムは、請求項７又は８記載の画像形成システムにおいて、画像形成装置はさらに、画像形成装置の動作履歴を生成し、動作履歴生成手段を備え、管理装置が備えたテーブルメモリに記憶させる動作履歴生成手段を備えたことを特徴とする。
【００１８】
請求項１０記載の画像形成システムは、請求項９記載の画像形成システムにおいて、画像形成装置が備えた動作履歴生成手段は、生成した動作履歴を、外部装置が備えたテーブルメモリに記憶させる手段であることを特徴とする。
【００１９】
請求項１１記載の画像形成システムは、請求項９又は１０記載の画像形成システムにおいて、画像形成装置が備えた動作履歴生成手段は、生成した動作履歴と、画像形成装置が備えたＲＦＩＤ通信手段により取得されたＲＦＩＤ情報とを対応付けて、管理装置、及び外部装置の少なくとも一方が備えたテーブルメモリに記憶する手段であることを特徴とする。
【００２０】
請求項１２記載の画像形成システムは、請求項９乃至１１のいずれか１項に記載の画像形成システムにおいて、画像形成装置が備えた制御手段は、管理装置、及び外部装置の少なくとも一方が備えたテーブルメモリを参照し、参照結果に応じて動作履歴を取得し、取得した動作履歴に応じて前記画像形成装置の動作を制御することを特徴とする。
【００２１】
請求項１３記載の画像形成システムは、請求項９乃至１２のいずれか１項に記載の画像形成システムにおいて、画像形成装置はさらに、ＲＦＩＤ通信手段により取得されたＲＦＩＤ情報、及び動作履歴生成手段により生成し、記憶された動作履歴のうち少なくとも一方を、前記テーブルメモリから取り出して、記録紙、及び原稿に付加されたＲＦＩＤタグ、並びに利用者が携帯しているＲＦＩＤタグのうち少なくとも１つに書き込むＲＦＩＤ書込手段を備えたことを特徴とする。
【００２２】
請求項１４記載の画像形成システムは、請求項１３記載の画像形成システムにおいて、画像形成装置が備えた制御手段は、ＲＦＩＤ書込み手段によってＲＦＩＤタグに動作履歴が書き込まれた場合、ＲＦＩＤタグを参照し、参照結果に応じて動作履歴を取得し、取得した動作履歴に応じて前記画像形成装置の動作を制御することを特徴とする。
【発明の効果】
【００２３】
本発明によれば、画像形成装置単体だけでなく、ネットワークを介して接続された管理装置等とデータを送受信するので、多くの容量を必要とする詳細な制御が可能となるばかりでなく、遠隔地にある画像形成装置を制御することも可能となる。
【発明を実施するための最良の形態】
【００２４】
以下、本発明に係る画像形成システムに使用される複合型デジタル画像形成装置の一実施形態及びこの画像形成装置に適用可能な画像形成方法について説明する。図１に示すように、この画像形成装置は、例えば原稿画像を複写する複写機能、通信回線を介して画像データを送受信するファクシミリ機能、及び、外部Ｉ／Ｆを介して外部装置から供給される画像データに基づいてプリントするプリンタ機能を備えた画像形成装置、すなわち複合型デジタル画像形成装置（以下、画像形成装置と略称する）として構成される。また、本論では、ＲＦＩＤの検出例として、記録紙、原稿の場合の実施例を説明しているが、本発明による画像形成システムにおいて、記録用紙の検出は行わないようにしても良い。
【００２５】
図１は、この画像形成装置の内部構造を概略的に示す断面図である。図１に示されたように、この画像形成装置、例えば電子写真式デジタル画像形成装置５０は、原稿画像を読み取って画像データを生成する読取手段として機能する画像読取部、すなわちスキャナ部５０ａ、及び画像データに基づいて画像を形成する画像形成手段として機能する画像形成部すなわちプリンタ部５０ｂを有している。また、画像形成装置５０は、このスキャナ部５０ａの上部に、搬送手段としての原稿自動給送装置５１を備え、スキャナ部５０ａの後述する原稿台すなわち原稿テーブルに対して開閉可能に形成されて読取対象物としての原稿Ｄを原稿台に向けて１枚ずつ給送するとともに、原稿台に載置された原稿Ｄを原稿台に密着させる原稿押さえとして機能するようにしている。
【００２６】
スキャナ部５０ａは、その上部に、閉じた状態にある原稿自動給送装置５１に対向されるとともに原稿Ｄがセットされる透明なガラスからなる原稿テーブル５２と、原稿テーブル５２の一端に配置されるとともに原稿テーブル５２に原稿Ｄをセットすべき位置を示す原稿スケール５３と、を有している。
【００２７】
原稿テーブル５２の下方には、原稿テーブル５２に載置された原稿Ｄを照明する露光ランプ５４、露光ランプ５４からの光ビームを原稿Ｄに集光させるための補助反射板５８、及び、原稿Ｄからの反射ビームを図中左方向に折曲げる第１ミラー５６などが配置されている。露光ランプ５４、補助反射板５８および第１ミラー５６は、第１キャリッジ５７に固定されており、第１キャリッジ５７の移動にともなって原稿テーブル５２と平行に移動可能に配置されている。なお、第１キャリッジ５７は、図示しない歯付きベルト等を介して図示しないパルスモータの駆動力が伝達されて、原稿テーブル５２に沿って平行に移動される。
【００２８】
原稿テーブル５２の図中左方、すなわち第１ミラー５６により反射された反射ビームが案内される方向には、第２キャリッジ５９が配設されている。第２キャリッジ５９には、第１ミラー５６により案内される原稿Ｄからの反射ビームを下方に折曲げる第２ミラー６０、および図中右方に折り曲げる第３ミラー６１が互いに直角に配置されている。第２キャリッジ５９は、第１キャリッジ５７を駆動する図示しない歯付きベルトなどにより第１キャリッジ５７に従動されるとともに、第１キャリッジ５７に対して１／２の速度で原稿テーブル５２に沿って平行に移動される。
【００２９】
第１キャリッジ５７の下方であって、第２キャリッジ５９を介して折返されたビームの光軸を含む面内には、第２キャリッジ５９からの反射ビームを所定の倍率で結像させる結像レンズ６２、及び、結像レンズ６２により集束性が与えられた反射ビームを電気信号すなわち画像データに変換する複数のＣＣＤイメージセンサからなるラインセンサ６３が配置されている。
【００３０】
なお、ここでは、ラインセンサ６３における複数のＣＣＤイメージセンサが配列されている方向を主走査方向とし、第１キャリッジ５７及び第２キャリッジ５９が移動する方向を副走査方向とする。本実施形態では、この読み取り装置部分は、スキャナ部５０ａを固定させ、原稿自動給送装置５１により、原稿を搬送させながら画像を読み取る、シートスルータイプの画像読み取りシステムとなっている。
【００３１】
次に、プリンタ部５０ｂについて説明する。プリンタ部５０ｂは、感光体ドラム１２と、帯電チャージャ１３と、現像ユニット１４、１５と、除電ランプ（ＰＴＬ）１７と、転写チャージャ１８と、分離チャージャ１９と、イレーサ２０と、クリーニングユニット２１と、ポリゴンミラー（レーザ光発生器）２２と、光学系（レンズ）２３と、を有し、図２に示す画像メモリ１０８に記憶された画像データの画像形成、出力を行う。
【００３２】
すなわち、感光体ドラム１２を矢示方向に回転させると同時に、感光体ドラム１２上に付着した残留トナー及び不均一な電位が帯電チャージャ１３及び現像ユニット１４、１５に到達しないように、除電ランプ(ＱＬ)１６、転写前除電ランプ(ＰＴＬ)１７、転写チャージャ１８、分離チャージャ１９、イレーサ２０、及びクリーニングユニット２１を駆動して、除電ランプ１６を通過した後の感光体ドラム１２の表面電位が略ゼロになるようにする。
【００３３】
その後、感光体ドラム１２の表面を帯電チャージャ１３により一様に帯電すると共に、図２に示す画像メモリ１０８に記憶された画像データを読み出して、それに応じて図示しない半導体レーザからレーザ光を射出させる。半導体レーザから射出されるレーザ光は、図示しないシリンダレンズによって集光されて回転走査するポリゴンミラー（レーザ光発生器）２２に入射し、反射光が光学系（レンズ）２３、及びミラー２４を介して感光体ドラム１２の表面を照射して静電潜像を形成する。
【００３４】
次いで、感光体ドラム１２上に形成された潜像を、非画像部（画像作成領域からはみ出した不要部分）の電荷をイレーサ２０によって除去した後、黒トナーにより現像を行なう黒現像ユニット１４あるいはカラートナーにより現像を行なうカラー現像ユニット１５よりトナーを付着して可視像化する。このとき、現像バイアス電位を変化させることにより、画像の濃淡を調整することができる。
【００３５】
他方において、図示しないメインモータの駆動を選択的に取り出せる給紙クラッチのＯＮにより呼出コロ２５及び３個の給紙コロ２６のいずれかを駆動し、予め選択された給紙段（後述する）にセットされている記録紙を停止中のレジストローラ対２７に向けて給紙させる。レジストローラ対２７の手前にはレジストセンサ２８が配設されており、レジストセンサ２８は例えば反射型フォトセンサであり、その対向位置に記録紙の先端が到達するとＯＮ状態になる。それから、一定時間経過後に給紙クラッチをＯＦＦ状態に戻して、搬送中の記録紙を停止させる。
【００３６】
なお、給紙クラッチのＯＦＦタイミングは、レジストセンサ２８とレジストローラ対２７の間を記録紙が搬送される時間より長くとられている。したがって、記録紙は先端がレジストローラ対２７に付き当てられ、先端側にたわみを生じてスキュー等を防止する状態で待機する。その後、感光体ドラム１２上の画像先端に合わせたタイミングでレジストクラッチをＯＮ状態にし、それによってレジストローラ対２７が回転駆動されることにより、待機中の記録紙を転写部へ向けて再搬送する。
【００３７】
記録紙が転写部に到達すると、転写チャージャ１８の作用によって感光体ドラム１２上のトナー像を紙面上に転写し、続いて転写チャージャ１８と一体に保持されている分離チャージャ１９の作用によって紙面上の帯電電位を下げて記録紙と感光体ドラム１２との密着力を低下させた後、分離爪２９によって、記録紙を感光体面から分離する。
【００３８】
次いで、記録紙を２個のローラによって張装された搬送ベルト３０によって定着部へ送り、定着ローラ３１によってトナー像を熱定着し、その後コピーモードとして片面モードが選択されていれば切替爪３２の上側を通して外部の排紙トレイ７９に排紙し、両面モードが選択されていれば切替爪３２の切り替えによって下側の再給紙用搬送経路３３ヘ送り込む。
【００３９】
また、排紙トレイ７９では、排出口付近にＲＦＩＤタグ読み取り手段７８が配置され、印刷が完了して保持されているドキュメント（記録紙）に付されているＲＦＩＤタグとの間で通信を行う機能を果たす。
【００４０】
なお、画像転写後の感光体ドラム１２上の残留トナーはクリーニングユニット２１を構成するクリーニングブラシ２１ａ、クリーニングブレード２１ｂによって除去してトナー回収タンク２１ｃに回収させ、さらに残存電荷を消去するために感光面を除電ランプ１６によって全面露光させる。
【００４１】
ところで、この複写機には、特定サイズの記録紙のみをまとめて収納できる通常の給紙カセットとして、それぞれ異なるサイズの記録紙をセットした３つの給紙カセット３４〜３６を着脱可能に備え、またいずれの給紙カセットにも収納されていない記録紙、すなわち不特定サイズの記録紙をセットできる手差しテーブル（手差しトレイ）３７をも備えている。
【００４２】
そして、各給紙カセット３４〜３６のいずれかに収納されている記録紙を用いてコピーする場合は、カセットサイズを図示しない操作パネル上のサイズ選択キーによって選択した後、コピースタートキーを押下することにより、給紙カセットから記録紙の給紙が行なわれる。
【００４３】
なお、３８ａ〜３８ｃは各給紙カセット３４〜３６の各収納用紙サイズを検知するためのサイズ検知センサであり、例えば５連のフォトインタラプタを使用する。また、各給紙カセット３４〜３６の先端部には、それぞれ図示しないサイズ識別用の遮光板が付設されている。この遮光板はカセット内に収納されるべき記録紙のサイズ毎に異なる切欠部を有している。
【００４４】
サイズ検知センサ３８ａ〜３８ｃは、給紙カセット３４〜３６が装着されると、遮光板の遮光部を挟んだフォトインタラプタのみが光路を遮断されるため、それに応じた信号（コード）をそれぞれ図２に示す制御部１０５へ出力することができる。なお、制御部１０５はＣＰＵ等である。一方、不特定サイズの記録紙を用いてコピーする場合には、手差しテーブル３７を仮想線で示す閉じた状態から矢示Ａ方向に開いて実線で示す使用状態にした後、その上面に所望の記録紙をセットして、コピースタートキーを押下することにより、手差しテーブル３７から記録紙の給紙が行なわれる。
【００４５】
なお、手差しテーブル３７が開く方向に回動すると、第１給紙カセット３４に設けられている記録紙載置用の底板を持ち上げていた底板上昇アーム３９がそれに連動して下降する。また、この複写機の手差しテーブル３７に対向する位置には、手差しテーブル３７の開閉を検知するための図示しない開閉検知センサが設置されている。
【００４６】
なお、給紙カセット３４〜３６のいずれか、あるいは手差しテーブル３７から給紙された用紙がレジスト位置に到達する前位置に、給紙用ＲＦＩＤタグ検出センサ４０を配置し、図示しない給紙用トレイの用紙に付したＲＦＩＤタグとの間で通信を行う機能を果たす。
【００４７】
図２はこのデジタル複写機の制御部の主として画像処理に係わる部分の概略を示すブロック構成図であり、ビデオ処理回路１０１、画像処理回路１０２、ビデオ書込処理回路１０３、ＬＤ制御部１０４、制御部１０５、記憶部１０６、テーブルメモリ１０７、画像メモリ１０８、インタフェース（Ｉ／Ｆ）部１０９、システムバス１１０、特定部１１３、ＲＦＩＤ通信部１１４、ＲＦＩＤ書込部１１５、ネットワークＩ／Ｆ１１６、及び履歴生成部１１７を備えている。なお、ＲＦＩＤ通信部１１４とＲＦＩＤ書込部１１５は１つの構成（ＲＦＩＤリーダ・ライタ）としても良い。
【００４８】
ビデオ処理回路１０１は、スキャナ部５０ａで読み取った画像データ（ＣＣＤカラーイメージセンサ１００から出力される信号）をＡ／Ｄ変換して黒オフセット補正、シェーディング補正、画素位置補正を行なう。画像処理回路１０２は、図３に示すように色分離回路１２０、ＭＴＦ補正回路１２１、変倍回路１２２、γ補正回路１２３、及び画質処理回路１２４からなり、それらによってビデオ処理回路１０１から入力される画像データに対して画像処理を施す。この処理については、追って詳細に説明する。
【００４９】
ビデオ書込処理回路１０３は、画像処理回路１０２から入力される画像データに応じてプリンタ部５０ｂの制御を行なう。ＬＤ制御部１０４は、ビデオ書込処理回路１０３からのビデオ信号に応じて半導体レーザであるレーザダイオード（ＬＤ）１１２の発光制御をつかさどる。
【００５０】
制御部１０５は、記憶部１０６内の制御プログラムに従ってこのデジタル複写機全体を統括的に制御する。記憶部１０６は、制御部１０５を動作させるための制御プログラムを含む固定データを格納した読み出し専用のメモリ（いわゆるＲＯＭ）と、制御部１０５がデータ処理の際に１次的に使用する読み書き可能なメモリ（いわゆるＲＡＭ）とで構成されている。
【００５１】
テーブルメモリ１０７には、制御部１０５を動作させるための条件となる制御情報と、後述するＲＦＩＤ情報とが互いに関連付けられて記憶されている。
【００５２】
画像メモリ１０８は、画像処理回路１０２から送られてくる画像データや、画像形成動作の制御に関する制御情報、設定情報を記憶する読み書き可能なメモリである。インタフェース部１０９は画像処理回路１０２とシステムバス１１０との間のインタフェースを、システムバス１１０は各回路間のデータのやりとりをそれぞれ司る。テーブルメモリ１０７、画像メモリ１０８は、それぞれ専用メモリを個別に設けても良いし、ＨＤＤ等の記憶装置内に、それぞれ専用領域を設けても良い。
【００５３】
また、システムバス１１０は、操作部１１１、ＲＦＩＤ通信部１１４、ＲＦＩＤ書込部１１５とのインタフェースとしても機能する。操作部１１１は、本発明の特徴である編集内容の指示を含む各種情報を入力する入力部と各種情報を表示する表示部とからなる。
【００５４】
ＲＦＩＤ通信部１１４は、原稿に付加されたＲＦＩＤタグや利用者が携帯しているＲＦＩＤタグとの通信を行い、さらにＲＦＩＤタグに記憶されているＲＦＩＤ情報を取得する機能も有している。ＲＦＩＤ書込部１１５は、原稿や記録紙に付加されたＲＦＩＤタグや利用者が携帯しているＲＦＩＤタグに所定の情報を書き込む機能を有している。
【００５５】
また、本実施例で述べる画像形成装置は、ネットワークＩ／Ｆ１１６を介して、ネットワークと接続されている。接続されるネットワークは、インターネットが一般的であるが、公衆回線や専用回線を用いても良く、有線であるか無線であるかは問わない。
【００５６】
履歴生成部１１７は、画像形成装置の動作の履歴を生成し、画像形成に用いた原稿に付加されたＲＦＩＤタグに記憶された原稿を識別するための情報（原稿情報）や、画像形成動作を行った利用者が携帯しているＲＦＩＤタグに記憶された利用者を識別するための情報（利用者情報）と、履歴生成部１１７で生成した画像形成装置の動作履歴とを対応付けて、制御テーブル１０７の所定の領域に記憶させる。
【００５７】
次に、この図２に示した制御部による画像処理についてさらに詳細に説明する。ＣＣＤカラーイメージセンサ１００によって読み取られたＲ、Ｇ、Ｂの画像信号は、ビデオ処理回路１０１で適正なゲインを与えられてＡ／Ｄ変換され、黒オフセット補正、シェーディング補正、画素位置補正が行なわれ、所定のクロックに同期した８ビットのデジタルデータである赤画像データＲＤＴ０〜７、緑画像データＧＤＴ０〜７、青画像データＢＤＴ０〜７として出力される。
【００５８】
ここで、黒オフセット補正とはＣＣＤ１００の暗電流の黒レベルを画像データから減算する補正である。シェーディング補正とは、主走査方向の露光ランプ５４の光量むらやＣＣＤカラーイメージセンサ１００の各色用ＣＣＤの画素間の感度差によるむらを除くため、原稿走査開始前に濃度の均一な白板を読み取ってデータを各画素毎に記憶し、原稿読み取り中の画像データを記憶した各画素毎の白板のデータで除算することにより補正を行なうものである。画素位置補正とは、ＣＣＤカラーイメージセンサ１００として３ラインのものを用いた場合、副走査方向の画素の位置ずれがあるため、それを補正するものである。画像処理回路１０２では、ビデオ処理回路１０１から出力されるＲＧＢの画像データＲＤＴ０〜７、ＧＤＴ０〜７、ＢＤＴ０〜７）が図３に示される色分離回路１２０に入力され、黒画像データＢＬＫＤＴ０〜７が分離される。
【００５９】
さらに、画像データＢＬＫＤＴ０〜７を、ＭＴＦ補正回路１２１でＭＴＦ補正を施した後変倍回路１２２で主走査方向の電気変倍を行ない、さらにγ補正回路１２３でγ補正を行った後、画質処理回路１２４でディザや誤差拡散などの画質処理を行なう。
【００６０】
ここで、ＭＴＦ補正とは光学的な周波数特性の劣化などを２次元の空間フィルタで補正するものである。各種の補正がなされた黒画像データＢＬＫＤＴ０〜７は図２のインタフェース部１０９に送られ、黒画像データＢＬＫＤＴ０〜７は画像メモリ１０８に記憶される。
【００６１】
画像データＢＬＫＤＴ０〜７はビデオ書込処理回路１０３にも送られ、そこでプリンタ部５０ｂの書き込み速度に対応できるビデオ信号に変換されてＬＤ制御部１０４に入力され、画像信号に応じてレーザダイオード１１２に与える電流のパルス幅や電流の量をコントロールし、図１に示した感光体ドラム１２上に光書き込みを行なって静電潜像を形成する。
【００６２】
なお、画像処理回路１０２はメイン制御部の制御部１０５とアドレスバス、データバスを共有しており、これを介して通信が行なわれている。制御部１０５は、スキャナ部５０ａやプリンタ部５０ｂのモータコントロールも行なっている。その他にも、各種クラッチ、ソレノイドのコントロールも行なっている。
【００６３】
次に、後述するＲＦＩＤタグに記憶されたＲＦＩＤ情報に従った制御動作について簡単に説明する。原稿にＲＦＩＤタグが付されていた場合は、原稿用ＲＦＩＤタグセンサ８０でＲＦＩＤタグを検知し、ＲＦＩＤタグに記憶されているＲＦＩＤ情報を読み取り、記憶部１０６内の制御プログラムが、読み取ったＲＦＩＤ情報をキーに、テーブルメモリ１０７内の制御テーブルを参照し、対応する制御情報を検索し、検索結果に応じて、制御部１０５を動作させる。
【００６４】
原稿自動給送装置５１は、自身の後端縁部が画像形成装置５０の上面後端縁部に図示しないヒンジ装置を介して取付けられたカバー６４を有し、必要に応じて原稿自動給送装置５１全体を回動変位させることで、既に説明したように、スキャナ部５０ａの原稿テーブル５２に対して開閉可能に形成されている。
【００６５】
カバー６４の上面のやや左方向部位には、所定枚数、例えば５０枚の原稿Ｄを保持することが可能な原稿給紙台６５が設けられている。原稿給紙台６５の図中左方すなわち原稿自動給送装置５１の一端側には、原稿給紙台６５にセットされた原稿Ｄを順次１枚ずつ取出すとともに、図中左端側からスキャナ部５０ａの原稿テーブル５２の一端側に供給するためのピックアップローラ６７が配置されている。
【００６６】
原稿給紙台６５の所定の位置には、原稿給紙台６５への原稿Ｄがセットされたか否かを検知する検知手段として機能する原稿検知センサとしてのエンプテイセンサ６６が配設されている。なお、原稿給紙台６５には、原稿テーブル５２に原稿Ｄがセットされた位置を検知する原稿位置検知センサ５５と同様に機能する図示しない原稿幅検知センサが配置されてもよい。
【００６７】
ピックアップローラ６７の原稿取出し方向には、ピックアップローラ６７により取り出された原稿Ｄを原稿テーブル５２に向けて送出する給紙ローラ６８、及び、給紙ローラ６８により給送された原稿Ｄの先端を整位するアライニングローラ６９が配置されている。
【００６８】
アライニングローラ６９と給紙ローラ６８との間には、原稿Ｄのアライニングローラ６９への到達を検出するアライニングセンサ７０が配置されている。カバー６４の内側であって、原稿自動給送装置５１が閉じられた状態でスキャナ部５０ａの原稿テーブル５２と対向される位置には、搬送ベルト７１が配置され、搬送ベルト７１は原稿テーブル５２のほぼ全体を覆う大きさが与えられ、ピックアップローラ６７、給紙ローラ６８およびアライニングローラ６９を介して原稿給紙台６５から搬送された原稿Ｄを原稿テーブル５２の所定の位置に搬送する。搬送ベルト７１は、図中左右一対に配置されたベルトローラ７２に掛渡され、図示しないベルト駆動機構によって、図中右側および図中左側の両方向に向けて回転される。
【００６９】
原稿自動給送装置５１の右側部位には、搬送ベルト７１により図中左側から図中右側に移動される原稿Ｄをカバー６４の外側に向けて送出する反転ローラ７３、反転ローラ７３に原稿Ｄを押し付けるピンチローラ７４、反転ローラ７３とピンチローラ７４により搬送される原稿Ｄを、再び搬送ベルト７１へ戻すか所定の排出位置すなわちカバー６４上に排出させるかを切り換えるフラッパ７５、フラッパ７５が排出側に切り換えられている場合に、反転ローラ７３により搬送された原稿Ｄを排出させる排紙ローラ７６、及び、反転ローラ７３の近傍での原稿のジャムを検知するジャムセンサ７７などが配置されている。
【００７０】
また、原稿自動給送装置５１内の原稿搬送経路上にＲＦＩＤタグ読み取り手段８０が配置され、原稿搬送中に原稿用紙に付したＲＦＩＤタグとの間で通信を行う機能を果たす。このＲＦＩＤの読み取り手段は、複数配置することも可能で、また、複数個のＲＦＩＤを検出することも可能である。
【００７１】
また、装置本体５０の前面上部には、図４に示すように、様々な複写条件並びに画像形成動作を開始させる画像形成開始信号などを入力する操作部１１１として機能する操作パネル２００が設けられている。
【００７２】
図４に示すように、操作パネル２００には、複写機能を実行するための複写モードを設定する複写ボタン２０２、ファクシミリ機能を実行するためのＦＡＸモードを設定するＦＡＸボタン２０４、及びプリンタ機能を実行するためのプリンタモードを設定するプリンタボタン２０６が設けられている。
【００７３】
また、操作パネル２００には、複写モードにおいて複写枚数などの数値を入力するためのテンキー２０８、画像形成の開始を指示するスタートボタン２１０、複写枚数を訂正するときや画像形成動作を停止させるときなどに使用されるクリア／ストップボタン２１２、選択したモードや各種設定した条件等をすべてクリアするオールクリアボタン２１４、及び、複写倍率を設定するための倍率設定ボタン２１６が設けられている。
【００７４】
スタートボタン２１０は、原稿給紙台６５にセットされた原稿の読み取り開始を指示するとともに、画像データに基づいた画像の形成を指示する入力手段として機能する。
【００７５】
さらに、操作パネル２００には、画像を形成したい用紙のサイズを選択設定するための用紙サイズボタン２１８、原稿台に載置された原稿のサイズを検知して自動的に用紙サイズを設定する自動用紙選択ボタン２２０、原稿サイズを設定するための原稿サイズボタン２２２、及び、用紙サイズボタン２１８によって設定された用紙サイズと検知した原稿サイズとに基づいて自動的に複写倍率を設定する自動倍率選択ボタン２２４が設けられている。
【００７６】
これらの各種設定ボタンの他に、さらに、設定されたモードの内容や操作手順などの案内情報を表示させる操作ガイドボタン２２６、予熱状態を設定する予熱ボタン２２８、プリンタ部の動作中に割り込みを指示する割り込みボタン２３０などが設けられている。
【００７７】
そして、この操作パネル２００の略中央には、装置の状態、操作手順、及び、利用者に対して各種のメッセージを文字や図形で表示する報知手段として機能するタッチパネル式の液晶表示装置（ＬＣＤ）によって構成された表示パネル２４０が設けられている。この表示パネル２４０は、各機能毎に操作を画面に表示するものである。
【００７８】
表示パネル２４０は、例えば図５に示すように、利用者に情報を提供するための上段２４２ａ（破線）、中段２４２ｂ（破線）、下段２４２ｃ（破線）の３つのエリアからなるメッセージエリア２４２と、基本操作を指定するための「基本」ボタン、編集操作を指定するための「編集」ボタン、拡張操作を指定するための「拡張」ボタン、設定操作を指定するための「指定」ボタンなどのタイトル切り替えボタンが配置されたタイトルエリア２４４（破線）と、原稿枚数やコピー枚数などを表示するためのフィールドエリア２４６（破線）を有している。
【００７９】
基本操作では、通常の画像形成動作、すなわち原稿画像を読み取って原稿画像に対応した画像すなわち正像を用紙上に形成する第１画像形成モードが実行される。編集操作では、特殊な画像形成動作、すなわち原稿画像を読み取って原稿画像を副走査方向に反転させた画像すなわち鏡像を用紙上に形成する第２画像形成モードなどを設定することができる。
【００８０】
また、操作パネル２００の内部２５０（点線）には人体検知センサ及びＲＦＩＤリーダ・ライタ（図２で示すＲＦＩＤ通信部１１４、及びＲＦＩＤ書込部１１５）が設けられていて、画像形成装置を操作する利用者の検知・識別手段、及び完成したドキュメントの回収者の検知・識別手段として機能する。
【００８１】
図６は、ネットワークを介して画像形成装置と接続される管理装置のブロック構成図である。管理装置は、制御部３０１、受信部３０２、応答部３０３、特定部３０４、記憶部３０５、ネットワークＩ／Ｆ３０６、及び外部装置Ｉ／Ｆ３０７、及びテーブルメモリ３０８を備えている。
【００８２】
次に、管理装置の動作について説明する。制御部３０１は、記憶部３０５に記憶されている制御プログラムに従って、本管理装置全体を統括的に制御する。受信部３０２は、ネットワークＩ／Ｆ３０６を介して画像形成装置や端末装置（図７に示すデジタル複合機４０３、ＰＣ４０４、ＦＡＸ４０５、以下画像形成装置等という）と接続されていて、画像形成装置等から送られてくるデータを受け取る。記憶部３０５は、図８（ａ）〜（ｄ）に示す各種テーブルを保持している。
【００８３】
特定部３０４は、制御部３０１の指示により、画像形成装置から送信されてきた（原稿に付加されたＲＦＩＤタグや利用者の携帯するＲＦＩＤタグに記憶された）ＲＦＩＤ情報に基づいて、記憶部３０５内の制御テーブルを参照する。特定部３０４は、制御部３０１の指示により、制御テーブルの参照結果に基づいて、画像形成動作の可否や画像形成動作の制御内容を特定し、特定結果を制御部３０１に返す。制御部３０１は、特定部から返された特定結果を、応答部３０３に通知し、応答部にネットワークＩ／Ｆ３０７を介して画像形成装置等に送信させる。
【００８４】
図７は管理装置４０１と画像形成装置等とがネットワークを介して接続されていることを示すネットワークモデル図である。図７に示すように管理装置は、ネットワークを介して画像形成装置のみならず、図６に示す外部装置Ｉ／Ｆ３０７を介して、外部装置（データベース４０６）と接続することも可能である。なお、本実施例では、外部装置Ｉ／Ｆ３０７を介して接続される外部装置としてデータべース４０６の例を示したが、これに限られるものではない。また、データベース４０６はネットワーク４０２を介して直接画像形成装置等４０３〜４０５と管理装置を介さずに接続しても良い。
【００８５】
図７に示すデータベース４０６は、前述の制御テーブルを保持しており、図２に示す画像形成装置内のテーブルメモリ１０７、管理装置内の記憶部３０５内に記憶されている制御テーブルと同様の機能を持っている。従って、前述のように、図６に示す制御部３０１の指示により、記憶部３０５内の制御テーブルを参照する動作について説明したが、記憶部３０５の代わりにデータベース４０６内の制御テーブルを参照することもできることは、いうまでもない。
【００８６】
次に、図８（ａ）〜（ｄ）に示した制御テーブルについて説明する。図８（ａ）は、図２に示すテーブルメモリ１０７、図６に示す記憶部３０５又は図７に示すデータベース４０６内に記憶された制御テーブルの１例である。制御テーブルには、ＲＦＩＤ情報と制御メニューが記憶されている。ＲＦＩＤ情報は、原稿のＲＦＩＤタグに記憶されている情報であって、原稿の種類や内容等を示す原稿識別情報や、ユーザＩＤ等の利用者識別情報である。制御メニューには、どのような制御を行うかといった制御の内容についての制御情報が記憶されており、例えば印刷枚数、印刷倍率、用紙サイズ、両面印刷、集約印刷等の編集内容、及び特定の画像データを重ね合わせて画像形成する重ね合わせ、画像形成完了後に原稿画像データを画像メモリ１０８から削除するといった原稿削除といった制御も含まれる。また、ＲＦＩＤ情報として、対応するＲＦＩＤ情報が見つからなかった場合の制御メニューも記憶しておくことによって、ＲＦＩＤタグに記憶されたＲＦＩＤ情報と同一のＲＦＩＤ情報が検索できなかった場合も制御が可能となる。
【００８７】
図８（ｂ）は、図２に示すテーブルメモリ１０７、図６に示す記憶部３０５又は図７に示すデータベース４０６内に記憶されたＲＦＩＤテーブルの１例である。図８（ａ）の第２の実施例では、ＲＦＩＤタグにＲＦＩＤ情報が記憶されていた場合、ＲＦＩＤ情報から直接制御情報を特定するよう構成したが、図８（ｂ）のように、ＲＦＩＤタグが複数付加された場合、ＲＦＩＤタグの数や位置の組合せよってＲＦＩＤ情報を特定するよう構成することもできる。
【００８８】
図８（ｃ）は、図２に示すテーブルメモリ１０７、図６に示す記憶部３０５又は図７に示すデータベース４０６内に記憶された複数のＲＦＩＤ情報と制御メニューの対応図の１例である。図８（ｃ）のように、それぞれのＲＦＩＤタグに記憶されたＲＦＩＤ情報の組合せに応じて、制御設定することで、より細かい制御が可能となる。
【００８９】
図８（ｄ）は、図２に示すテーブルメモリ１０７、図６に示す記憶部３０５又は図７に示すデータベース４０６内に記憶されたＲＦＩＤ情報と、それと対応付けられて記憶される画像形成装置の動作履歴を示した図である。このテーブルには、画像形成装置を利用した利用者を識別するＲＦＩＤ情報（利用者情報）と、画像形成を行った際に読み取った原稿を識別するＲＦＩＤ情報（原稿情報）と、それらに対応付けられた画像形成動作の動作履歴を記憶しておく。なお、ここでは、利用者情報と原稿情報との２つのＲＦＩＤ情報をキー情報として用いた例を示したが、一方のみをキー情報とすることもできる。
【００９０】
図９は、電源投入から原稿の読み取りが完了するまでの処理図である。画像形成装置の電源を投入すると（Ｓ９０１）、図２に示す記憶部１０６に格納されているプログラムを、制御部１０５が解読・実行を行うことで初期化され（Ｓ９０２）、予め設定されているモードで待機状態が保持される（Ｓ９０３）。次に、この状態から利用者が図１に示す原稿台６５に原稿をセットすると（Ｓ９０４／ＹＥＳ）、図１に示す原稿自動給送装置５１内の原稿搬送経路上のＲＦＩＤタグ検出センサ８０により、セットされた原稿のＲＦＩＤと通信するためのポーリングが開始される（Ｓ９０５）。
【００９１】
（第１の実施例）
既に述べた画像形成システムにおいて、第１の実施例を説明する。図１０は、第１の実施例についてのフロー図である。図９に示した原稿の読み取り処理が完了した後、ＲＦＩＤタグとの通信が成功すると（Ｓ１００１／ＹＥＳ）、ＲＦＩＤタグ検出センサ８０により、原稿に付加されたＲＦＩＤタグからＲＦＩＤ情報が取得される（Ｓ１００２）。この取得したＲＦＩＤ情報について、セキュリティ照合を行い（Ｓ１００３）、管理装置が、画像形成の可否判断を行う（Ｓ１００４）。このセキュリティ照合の方法については、後述する。
【００９２】
管理装置が画像形成を許可すると（Ｓ１００４／ＯＫ）、図４及び図５に示す操作パネル２００上の表示パネル２４０に画像形成許可表示を行い（Ｓ１００５）、利用者からの画像形成要求待ち状態に移行する（Ｓ１００６）。そして、利用者が操作パネル２００よりボタン押下によって画像形成要求をすると（Ｓ１００７／ＹＥＳ）、画像形成動作を行い（Ｓ１００８）、最後に操作パネル２００上の表示パネル２４０に画像形成終了表示を行い（Ｓ１００９）、一連の動作を終了する。
【００９３】
一方、ＲＦＩＤとの通信が失敗した場合（ＲＦＩＤが検出されずに、通常の原稿と判断された場合）は（Ｓ１００１／ＮＯ）、通常の画像形成動作（Ｓ１００５〜Ｓ１００９）を行うことになる。また、管理装置にて、画像形成不可との判断が下された場合は（Ｓ１００４／ＮＧ）、図４及び図５に示す操作パネル２００上の表示パネル２４０に警告表示をして（Ｓ１０１０）、動作を終了する。
【００９４】
なお、Ｓ１００２において、原稿に付加されたＲＦＩＤタグからＲＦＩＤ情報を読み取る例について説明したが、記録紙用ＲＦＩＤタグセンサ４０により、記録紙に付加されたＲＦＩＤタグからＲＦＩＤ情報を読み取るよう構成しても良いし、操作部の内部２５０（点線）に設けられた、ＲＦＩＤリーダ・ライタにより、利用者が携帯するＲＦＩＤタグからＲＦＩＤ情報を読み取るよう構成しても良い。例えば、前者の場合は、機密文書を複写したときに、機密文書の複写を行った文書である旨を記録紙に付加されたＲＦＩＤタグに書き込むことができるし、後者の場合は、いつ、どんな文書を複写したかの情報を利用者が携帯するＲＦＩＤタグに書き込むことができる。
【００９５】
以上、第１の実施例によれば、原稿、又は記録紙に付加されたＲＦＩＤタグ、あるいは利用者が携帯するＲＦＩＤタグに記憶されているＲＦＩＤ情報を取得し、取得したＲＦＩＤ情報に応じて制御を行うので、以下のような効果を奏する。例えば原稿に付加されたＲＦＩＤタグを用いる場合、ＲＦＩＤ情報が機密文書を意味するものであったときには、画像形成を禁止する（Ｓ１００４／ＮＧ）ことによって、機密文書の複写を防止することができる。例えば記録紙に付加されたＲＦＩＤタグを用いる場合、利用者が操作パネル２００から給紙トレイを選択する操作を行うことなく、自動的に所定の記録紙に複写させることができ、利用者の作業効率を向上させることができる。例えば、利用者が携帯するＲＦＩＤタグを用いる場合、利用者のＲＦＩＤ情報に応じて、画像形成装置の利用可能な機能を制限することができ、安全性を向上させることができる。
【００９６】
（第２の実施例）
第１の実施例では、原稿にＲＦＩＤタグが付加されていたか否かを検出し、その検出結果に応じて画像形成の可否判断を行うことについて述べたが、図１１に示す第２の実施例では、その履歴を管理装置に記憶することについて説明する。電源を投入してから画像形成可否判断を行うまでは第１の実施例で述べた動作と同一であるため、説明は省略する（Ｓ１１０１〜Ｓ１１０４）。また、管理装置にて、画像形成不可との判断が下された場合に（Ｓ１１０４／ＮＧ）、図４及び図５に示す操作パネル２００上の表示パネル２４０に警告表示をして（Ｓ１１１１）、動作を終了する点も第１の実施例と同一である。
【００９７】
一方、画像形成装置では、前に述べた第１の実施例と同一の一連の動作（Ｓ１１０１〜Ｓ１１０２）に対して、セキュリティー照合（Ｓ１１０３）の際に取得した、利用者や原稿に付加されたＲＦＩＤタグに記憶されているＲＦＩＤ情報を管理装置に送信し、管理装置が備えた記憶部４０６（図６）に、そのＲＦＩＤ情報を記憶し、画像形成装置の動作履歴を予め記憶部４０６に記憶しておいたＲＦＩＤ情報と対応付けて登録する（Ｓ１１０９）。
【００９８】
第２の実施例では、図６に示す管理装置が備えた記憶部４０６に画像形成装置の動作履歴を記憶する実施例について述べたが、管理装置が備えた記憶部４０６の代わりに、図７に示す、管理装置と接続された外部装置であるデータベース５０６、又は図２に示す、画像処理装置の記憶部１０６に記憶するように構成しても良い。また記憶装置でなく、原稿、及び記録紙に付加されたＲＦＩＤタグ、あるいは利用者が携帯しているＲＦＩＤタグにＲＦＩＤ情報として、画像形成動作の履歴を登録するようにしても良い。その場合、図２に示すＲＦＩＤ書込部１１５がＲＦＩＤ情報を所定のＲＦＩＤタグに書き込むことになる。
【００９９】
また、第１及び第２の実施例では、図７に示す管理装置４０１側でセキュリティ照合を行ったが（図１０に示すＳ１００３、図１１に示すＳ１１０３）、図２に示す画像形成装置が備えた特定部１１３でセキュリティ照合（図１０に示すＳ１００３、図１１に示すＳ１１０３）を行うように構成しても良い。
【０１００】
また、第１及び第２の実施例では、原稿に付加されたＲＦＩＤタグと通信し、その通信結果に応じた処理を行う実施例について説明したが、利用者が携帯しているＲＦＩＤタグと通信し、その通信結果に応じた処理を行うよう構成しても良い。
【０１０１】
以上、第２の実施例によれば、第１の実施例に加えて、画像形成動作の履歴を記憶するよう構成したので、以下のような効果を奏する。例えば、原稿にＲＦＩＤタグが付加されていた場合、ＲＦＩＤタグに記憶されているＲＦＩＤ情報が機密文書を意味するものであって、利用者によって、画像形成動作が行われた場合、そのＲＦＩＤ情報と画像形成動作の履歴を管理装置等に記憶しておくことができるので、機密文書の管理が容易となる。また、この場合に、利用者がＲＦＩＤタグを携帯していれば、利用者が携帯しているＲＦＩＤタグに記憶されたＲＦＩＤ情報もともに記憶することによって、いつ、どこで、誰が、どの文書の画像形成を行ったかを管理することができる。
【０１０２】
次に、図１０のＳ１００３及び図１１のＳ１１０３に示したセキュリティ照合の方法について具体例を示す。
【０１０３】
図１２は、制御情報特定処理のフロー図である。図２に示す、画像処理装置のＲＦＩＤ通信部１１４により、ＲＦＩＤタグと通信が成功し、ＲＦＩＤタグが検出され、ＲＦＩＤタグに記憶されているＲＦＩＤ情報が取得されるまでの処理は図１０に示した第１の実施例と同様である（Ｓ１００１〜Ｓ１００２）。その後、取得したＲＦＩＤ情報を読み込み（Ｓ１２０１）、図６に示された管理装置が備えた記憶部３０５にアクセスし、記憶部３０５に記憶されている制御テーブルを参照し（Ｓ１２０２）、読み込んでおいたＲＦＩＤ情報と同一のＲＦＩＤ情報がないか検索する（Ｓ１２０３）。次に、図２に示す画像形成装置が備えた特定部１１３は、検索結果に応じて制御情報を特定し（Ｓ１２０４）、図２に示す画像形成装置が備えた制御部１０５は、特定した制御情報に従って、画像形成動作を制御する（Ｓ１２０５）。
【０１０４】
以上、画像形成装置が、図６に示す管理装置が備えた記憶部３０５にアクセスし、記憶部３０５に記憶されている制御情報を取得し、取得した制御情報に従い、図２に示す、画像形成装置が備えた制御部１０５が画像形成動作を制御する実施例について説明したが、図７に示す管理装置４０１を介して、又は直接データベース４０６にアクセスし、データベースに記憶されている図８に示すテーブルを参照するよう構成しても良いし、テーブルを、図２に示す画像形成装置が備えた記憶部１０６に記憶しておき、画像形成装置のみで、前述の制御を行うよう構成しても良い。
【０１０５】
（第３の実施例）
第１、第２の実施例では、ＲＦＩＤタグの有無やＲＦＩＤタグに記憶されているＲＦＩＤ情報に応じた制御を行う実施例について説明したが、第３、第４の実施例では、具体的な制御の内容について説明する。図１３は、第３の実施例についての処理図である。ＲＦＩＤタグとの通信に失敗した場合は（Ｓ１３０１／ＮＯ）、通常の画像形成動作を行う（Ｓ１３０７〜Ｓ１３０８）。ＲＦＩＤタグとの通信に成功した場合には（Ｓ１３０１／ＹＥＳ）、図２に示す制御部１０５は、図１２に示す処理を行い制御情報を特定する（Ｓ１２０１〜Ｓ１２０５）。ここで、図２に示す特定部１１３により、制御情報が「原稿削除」に特定されたとする（Ｓ１３０２／ＹＥＳ）。すると、制御部１０５は、画像形成を開始させ（Ｓ１３０３）、画像形成が完了すると（Ｓ１３０４／ＹＥＳ）、図２に示す画像メモリ１０８にアクセスし、画像メモリ１０８内の原稿画像データを削除する（Ｓ１３０５）。削除が完了すると、処理フローを抜ける（Ｓ１３０６／ＹＥＳ）。本実施例では、ＲＦＩＤタグとの通信に成功した後に、制御テーブルを参照する処理を行ったが、図１２の処理を行わず、単にＲＦＩＤタグとの通信成功を条件として画像メモリ１０８内の原稿データを削除する制御を実行するように構成してもよい。
【０１０６】
以上、第３の実施例によれば、ＲＦＩＤタグに記憶されたＲＦＩＤ情報に応じて、画像メモリ１０８内に記憶されている画像データを削除するよう制御できるので、例えば、原稿に付加されたＲＦＩＤタグに記憶されているＲＦＩＤ情報が機密文書を意味するものであると、機密文書の複写を行った直後に、その原稿画像データを削除するよう制御し、安全性を高めることができる。
【０１０７】
（第４の実施例）
図１４は、第４の実施例についての処理図である。ＲＦＩＤタグとの通信に失敗した場合は（Ｓ１４０１／ＮＯ）、通常の画像形成動作を行う（Ｓ１４０５〜Ｓ１４０６）。ＲＦＩＤタグとの通信に成功した場合には（Ｓ１４０１／ＹＥＳ）、図２に示す制御部１０５は、図１２に示した処理を行い制御情報を特定する（Ｓ１２０１〜Ｓ１２０５）。ここで、制御情報が「重ね合わせ」に特定されたとする（Ｓ１４０２／ＹＥＳ）。次に、予め図２に示す画像メモリ１０８に記憶されている重ね合わせ用の画像データを読み込む（Ｓ１４０３）。重ね合わせ用の画像データは、画像メモリ１０８に予め記憶された画像データであり、原稿画像データを読み取って画像メモリ１０８に記憶された後に、読み取った画像データを重ね合わせに用いることも可能である。続いて、画像メモリ１０８に記憶されていた原稿画像データに重ね合わせ用の画像データを重ね合わせて、新たな原稿画像データとする（Ｓ１４０４）。そして、この新たな原稿画像データについて、画像形成を開始し（Ｓ１４０５）、画像形成が完了すると処理フローを抜ける（Ｓ１４０６／ＹＥＳ）。本実施例では、ＲＦＩＤタグとの通信に成功した後に、制御テーブルを参照する処理を行ったが、この処理を行わず、単にＲＦＩＤタグとの通信成功を条件として重ね合わせ処理（Ｓ１４０３〜Ｓ１４０４）を行ってもよい。
【０１０８】
以上、第４の実施例によれば、ＲＦＩＤタグに記憶されたＲＦＩＤ情報に応じて、あらかじめ画像メモリ１０８内に記憶されている画像データと、原稿画像データを重ね合わせて画像形成させるので、例えば、原稿に付加されたＲＦＩＤタグに記憶されたＲＦＩＤ情報が機密文書を意味するものであると、機密文書の複写の際に、機密文書を意味する画像を原稿に重ね合わせて記録紙に記録させることによって、機密文書の通常複写を防止することができる。
【０１０９】
（第５の実施例）
第３、第４の実施例では、具体的な制御内容について説明したが、第５の実施例では、制御内容の設定についての実施例を説明する。図１５は、第５の実施例についての処理図である。利用者が図４に示す操作パネル２００から所定の操作を行い、ＲＦＩＤ制御機能についての設定を行うモードを実行する（Ｓ１５０１／ＹＥＳ）。次に、ＲＦＩＤ検出のＯＮ／ＯＦＦを選択する（Ｓ１５０２）。ここで、ＯＦＦを選択すると、設定完了か否かの選択に移る（Ｓ１５１２）。一方、ＯＮを選択すると、具体的な制御内容についての設定に移る。まず、ＲＦＩＤタグを検出するにあたり、有効となるタグの数や位置について設定する（Ｓ１５０３）。次に、ＲＦＩＤタグを検出した場合に、画像メモリ１０８に記憶された原稿画像データを削除するか否かについて設定を行う（Ｓ１５０４）。
【０１１０】
次に、ＲＦＩＤタグを検出した場合に画像形成動作を停止させるか否かについて設定する（Ｓ１５０５）。ここで、ＯＮを選択すると、設定モードを抜ける。一方、ＯＦＦを選択すると、画像形成制御のＯＮ／ＯＦＦを設定する（Ｓ１５０６）。ここでＯＦＦを選択すると、設定モードを抜ける。一方、ＯＮを選択すると、具体的な制御メニューについて設定を行う（Ｓ１５０７）。
【０１１１】
次に、特定画像重ね合わせのＯＮ／ＯＦＦを選択する（Ｓ１５０８）。ここで、ＯＦＦを選択すると、設定モードを抜ける。一方、ＯＮを選択すると、続いて重ね合わせ画像を選択するか否かについて設定する（Ｓ１５０９）。重ね合わせ画像を選択しない場合は（Ｓ１５０９／しない）、デフォルト画像を自動的に設定する（Ｓ１５１０）。一方、Ｓ１５０９で「する」を選択すると、重ね合わせ画像を選択し（Ｓ１５１１）、設定完了か否かを問われ（Ｓ１５１２）、続いてＹＥＳを選択するとＲＦＩＤ制御設定モードが終了し、画像メモリ１０８内の図８（ａ）〜（ｃ）に示す制御テーブルを更新して処理フローを抜ける（Ｓ１５１３）。
【０１１２】
また、本実施例では、原稿からＲＦＩＤタグを検出した場合に特定の制御を行うことについて述べてきたが、原稿からＲＦＩＤタグが検出できなかった場合に、同様の制御を行うよう構成しても良い。
【０１１３】
以上、第５の実施例では、ＲＦＩＤタグに記憶されているＲＦＩＤ情報に応じて、画像形成動作を制御する制御内容について設定できるようにしたので、利用者の利用状況に応じた、画像形成動作の制御が可能となる。
【０１１４】
第１及び第２の実施例では、原稿に付加されたＲＦＩＤタグと通信し、その通信結果に応じた処理を行う実施例について説明し、第３〜第５の実施例では、具体的な制御内容及び制御内容について設定することについて説明した。以下、第６の実施例では、原稿や記録紙に付加されたＲＦＩＤタグ、又は利用者が携帯しているＲＦＩＤタグ、又は画像処理装置、管理装置、あるいはデータベース内のテーブルメモリに記憶されている動作履歴に基づいて、画像形成動作を制御する実施例について説明する。
【０１１５】
（第６の実施例）
図１６は、第６の実施例についての処理フロー図である。電源が投入されてからＲＦＩＤタグと通信を行うまでの処理は、図１２に示した通りである。次に、ＲＦＩＤタグとの通信が成功すると（Ｓ１６０１／ＹＥＳ）、ＲＦＩＤタグと通信し、ＲＦＩＤ情報を取得する（Ｓ１６０２）。取得したＲＦＩＤ情報に動作履歴が含まれていた場合は（Ｓ１６０３／ＹＥＳ）、その動作履歴を取得し（Ｓ１６０４）、動作履歴に従った制御を行うか否かを図４に示す操作パネル２００の表示部２４０に表示する（Ｓ１６０５）。
【０１１６】
次に、利用者が操作パネル２００から、動作履歴に従った制御を行う旨の指示をすると（Ｓ１６０６／ＹＥＳ）、図２に示す制御部１０５は制御指示を行い（Ｓ１６０７）、続いて画像形成可否判断を行う（Ｓ１６０８）。ここで、例えば、前回又は過去に画像形成付加と判断された履歴が残っていた場合は（Ｓ１６０８／ＮＧ）、表示部２４０に警告表示を行い（Ｓ１６１４）、処理を終了する。一方、そうでない場合は（Ｓ１６０８／ＯＫ）、Ｓ１６０７で制御部１０５が行った指示に従って画像形成を行う。この画像形成動作は、制御部１０５による指示を除けば、通常の画像形成動作と同様であり、前述の通りである（Ｓ１６０９〜Ｓ１６１３）。
【０１１７】
また、ＲＦＩＤタグとの通信が失敗した場合（Ｓ１６０１／ＮＯ）、取得したＲＦＩＤ情報に動作履歴が含まれていなかった場合（Ｓ１６０３／ＮＯ）、及び動作履歴が含まれていた場合であって、利用者が履歴制御を選択しなかった場合（Ｓ１６０６／ＮＯ）には、通常の画像形成動作を行うようにする（Ｓ１６０９〜Ｓ１６１３）。また、Ｓ１６０５〜Ｓ１６０６で動作履歴制御を行うか否かを表示し、利用者に選択させる処理を行っているが、この処理は行わなくても良い。
【０１１８】
（第７の実施例）
第６の実施例では、記録紙、又は原稿、又は利用者が携帯しているＲＦＩＤタグに動作履歴が記憶されている場合の実施例について説明したが、第７の実施例では、記録紙、又は原稿、又は利用者が携帯しているＲＦＩＤタグに記録紙、又は原稿、又は利用者を識別する識別情報が記憶されていて、かつ図７に示す画像形成装置等（４０３〜４０５）、又は管理装置４０１、又はデータベース４０６のテーブルメモリ（図２の１０７等）に動作履歴が記憶されている場合に、図２に示す制御部１０５が、画像形成装置を制御する実施例について説明する。
【０１１９】
図１７は、第７の実施例についての処理フロー図である。電源が投入されてからＲＦＩＤタグと通信を行うまでの処理は、図１２に示した通りである。電源が投入されてからＲＦＩＤタグと通信を行うまでの処理は、図１２に示した通りである。次に、ＲＦＩＤタグとの通信が成功すると（Ｓ１７０１／ＹＥＳ）、ＲＦＩＤタグと通信し、ＲＦＩＤ情報を取得する（Ｓ１７０２）。取得したＲＦＩＤ情報に記録紙、又は原稿、又は利用者を識別する識別情報が含まれていた場合は（Ｓ１７０３／ＹＥＳ）、その識別情報を取得し（Ｓ１７０４）、画像形成装置のテーブルメモリにアクセスし（Ｓ１７０５）、先ほど取得した識別情報に対応付けられた動作履歴を取得し（Ｓ１７０７）、図４に示す操作パネル２００の表示部２４０に動作履歴に従った制御を行うか否かを表示する（Ｓ１７０８）。
【０１２０】
次に、利用者が操作パネル２００から、動作履歴に従った制御を行う旨の指示をすると（Ｓ１７０９／ＹＥＳ）、図２に示す制御部１０５は制御指示を行い（Ｓ１７１０）、続いて画像形成可否判断を行う（Ｓ１７１１）。ここで、例えば、前回又は過去に画像形成付加と判断された履歴が残っていた場合は（Ｓ１７１１／ＮＧ）、表示部２４０に警告表示を行い（Ｓ１７１７）、処理を終了する。一方、そうでない場合は（Ｓ１７１１／ＯＫ）、Ｓ１７１０で制御部１０５が行った指示に従って画像形成を行う。この画像形成動作は、制御部１０５による指示を除けば、通常の画像形成動作と同様であり、前述の通りである（Ｓ１７１２〜Ｓ１７１６）。
【０１２１】
また、ＲＦＩＤタグとの通信が失敗した場合（Ｓ１７０１／ＮＯ）、取得したＲＦＩＤ情報に識別履歴が含まれていなかった場合（Ｓ１７０３／ＮＯ）、テーブルメモリに動作履歴が含まれていなかった場合（Ｓ１７０６／ＮＯ）、及びＲＦＩＤタグに識別情報が、テーブルメモリに動作履歴が含まれていた場合であって、利用者が履歴制御を選択しなかった場合（Ｓ１７０９／ＮＯ）には、通常の画像形成動作を行うようにする（Ｓ１７１２〜Ｓ１７１６）。また、Ｓ１７０８〜Ｓ１７０９で動作履歴制御を行うか否かを表示し、利用者に選択させる処理を行っているが、この処理は行わなくても良い。
【０１２２】
なお、本実施例では、Ｓ１７０５にて、画像形成装置のテーブルメモリ１０７にアクセスする例について説明したが、図７に示す画像形成装置とネットワークを介して接続されている管理装置４０１、又はデータベース４０６内のテーブルメモリ（図６の３０８）にアクセスしても、同様の制御を行うことが可能である。
【０１２３】
以上、第６、及び第７の実施例によれば、ＲＦＩＤタグに記憶されているＲＦＩＤ情報、及び動作履歴に応じて、画像形成動作を制御するので、前回と同様の設定で画像形成を行う場合に、面倒な設定を再度行う必要がなく、利用者の作業効率を向上させることができる。
【産業上の利用可能性】
【０１２４】
本発明は、画像形成する場合において、原稿の種類、及び利用者のセキュリティレベルに応じて、印刷制御を行う画像形成装置、及び画像処理システムに適用することができる。
【図面の簡単な説明】
【０１２５】
【図１】本発明における、画像形成装置全体の構成図である。
【図２】本発明における、画像形成装置のブロック図である。
【図３】図２における画像処理回路１０２の詳細を示したブロック図である。
【図４】画像形成装置に備えられる操作部１１１を構成する操作パネルの例を示す図である。
【図５】画像形成装置に備えられる操作部パネルの一部である表示部の例を示す図である。
【図６】本発明における、管理装置のブロック図である。
【図７】本実施例における、画像処理システムのネットワーク構成図である。
【図８】制御テーブルの１例を示した図である。
【図９】本実施例における、電源投入からＲＦＩＤタグとの通信までの処理フロー図である。
【図１０】本発明の、第１の実施例の処理フロー図である。
【図１１】本発明の、第２の実施例の処理フロー図である。
【図１２】本発明における、セキュリティ照合の処理フロー図である。
【図１３】本発明の、第３の実施例の処理フロー図である。
【図１４】本発明の、第４の実施例の処理フロー図である。
【図１５】本発明の、第５の実施例の処理フロー図である。
【図１６】本発明の、第６の実施例の処理フロー図である。
【図１７】本発明の、第７の実施例の処理フロー図である。
【符号の説明】
【０１２６】
１２    感光体ドラム
１３    帯電チャージャ
１４、１５    現像ユニット
１６    除電ランプ（ＱＬ）
１７    転写前除電ランプ（ＰＴＬ）
１８    転写チャージャ
１９    分離チャージャ
２０    イレーサ
２１    クリーニングユニット
２２    ポリゴンミラー
２３    光学系（レンズ）
２４    ミラー
２５    呼出コロ
２６    給紙コロ
２７    レジストローラ対
２８    レジストセンサ
２９    分離爪
３０    搬送ベルト
３１    定着ローラ
３２    切替爪
３３    再給紙用搬送経路
３４〜３６    給紙カセット
３７    手指しテーブル（手差しトレイ）
３８ａ、３８ｂ、３８ｃ    サイズ検知センサ
３９    底板上昇アーム
４０    記録紙用ＲＦＩＤタグセンサ
５０    電子写真式デジタル複写機
５０ａ    スキャナ部
５０ｂ    プリンタ部
５１    原稿自動給紙装置
５２    原稿テーブル
５３    原稿スケール
５４    露光ランプ
５６    第１ミラー
５７    第１キャリッジ
５８    補助反射板
５９    第２キャリッジ
６０    第２ミラー
６１    第３ミラー
６２    結像レンズ
６３    ラインセンサ
６４    カバー
６５    原稿給紙台
６６    エンプテイセンサ
６７    ピックアップローラ
６８    給紙ローラ
６９    アライニングローラ
７０    アライニングセンサ
７１    搬送ベルト
７２    ベルトローラ
７３    反転ローラ
７４    ピンチローラ
７５    フラッパ
７６    排紙ローラ
７７    ジャムセンサ
７８    ＲＦＩＤタグ読み取り手段
７９    排紙トレイ
８０    原稿用ＲＦＩＤタグセンサ
【図１】
2005323206.tif 000003
【図２】
2005323206.tif 000004
【図３】
2005323206.tif 000005
【図４】
2005323206.tif 000006
【図５】
2005323206.tif 000007
【図６】
2005323206.tif 000008
【図７】
2005323206.tif 000009
【図８】
2005323206.tif 000010
【図９】
2005323206.tif 000011
【図１０】
2005323206.tif 000012
【図１１】
2005323206.tif 000013
【図１２】
2005323206.tif 000014
【図１３】
2005323206.tif 000015
【図１４】
2005323206.tif 000016
【図１５】
2005323206.tif 000017
【図１６】
2005323206.tif 000018
【図１７】
2005323206.tif 000019